(57)【特許請求の範囲】
【請求項１】
横葺き屋根材の水下端に位置する本体軒側端及び水上端に位置する本体棟側端には、屋根のはぜ部の下面側に挿入される差込片が形成されており、上記本体軒側端及び上記本体棟側端にはそれぞれの箇所の屋根のはぜ部を押圧する金具固定ボルトが螺合される金具固定部を有しており、上記本体軒側端と上記本体棟側端の間には屋根上設備の取付用ボルトが設けられる設備固定部を有しており、上記本体棟側端には、上記差込片との間に位置する屋根材を挟むように位置する突出片が設けられており、この突出片に上記金具固定部を備えることを特徴とする支持金具。
【請求項２】
請求項１に記載の支持金具において、上記差込片が上記本体軒側端及び上記本体棟側端に形成されており、横葺き屋根上に少なくとも１つおきに設置されることを特徴とする支持金具。
【請求項３】
横葺き屋根材の水下端に位置する本体軒側端と水上端に位置する本体棟側端の少なくとも一方には、屋根のはぜ部の下面側に挿入される差込片が形成されており、上記本体軒側端及び上記本体棟側端の一方には当該箇所の屋根のはぜ部を押圧する金具固定ボルトが螺合される金具固定部を有し、他方には金具固定ボルトが挿通される貫通穴部からなる金具固定部を有しており、上記本体軒側端と上記本体棟側端の間には屋根上設備の取付用ボルトが設けられる設備固定部を有しており、上記本体軒側端と上記本体棟側端のどちらかの側が他方の側よりも横幅が狭く形成されて支持金具同士の端部重ね配置が可能とされ、横葺き屋根上に連続設置されることを特徴とする支持金具。
【請求項４】
請求項１〜請求項３のいずれか１項に記載の支持金具において、上記本体軒側端及び上記本体棟側端の少なくとも一方に上記横葺き屋根材の配置を規定する規定面が形成されていることを特徴とする支持金具。
【請求項５】
請求項１〜請求項４のいずれか１項に記載の支持金具が屋根上に配置されて屋根上設備が取り付けられる屋根上設備取付構造。
【請求項６】
請求項５に記載の屋根上設備取付構造において、上側板及び下側板を有する段状の補強部材が設けられており、上記下側板は屋根面に固定され、上記上側板は上記屋根のはぜ部に位置して上記金具固定ボルトの押圧を受けることを特徴とする屋根上設備取付構造。
【請求項７】
請求項６に記載の屋根上設備取付構造において、上記補強部材の上記上側板の延設部に、上記支持金具の本体軒側端を受け止めるストッパ部が形成されていることを特徴とする屋根上設備取付構造。
【発明の詳細な説明】
【技術分野】
【０００１】
この発明は、太陽電池等の屋根上設備の設置に好適な支持金具及び屋根上設備取付構造に関する。
【背景技術】
【０００２】
屋根上に太陽電池などの屋根上設備を取り付ける構造として、屋根材の接続箇所（屋根のはぜ部）を挟持する挟持片をボルトに螺合させたナットから成る締結部材によって屋根材側に押しつける構造を有した横葺き屋根への付設構築物の取付金具及び取付構造が特許文献１に開示されている。
【先行技術文献】
【特許文献】
【０００３】
【特許文献１】特開平１０−２３１５９１号公報
【発明の開示】
【発明が解決しようとする課題】
【０００４】
しかしながら、このような横葺き屋根への付設構築物の取付金具及び取付構造では、上記取付金具の棟側端だけに上記締結部材が設けられる構造となるので、付設構築物を十分な強度で横葺き屋根に取り付けることができないおそれがある。また、上記取付金具は締結部材の締め付け力を本体と独立した別部品である挟持片を介して横葺き屋根に作用させる構造であるから、このような挟持片を備えることになる分、部品点数が多くなり構造も複雑化するという欠点もある。
【０００５】
この発明は、太陽電池等の屋根上設備を十分な強度で横葺き屋根に取り付けることができ、しかも構造が簡単である支持金具及び屋根上設備取付構造を提供することを課題とする。
【課題を解決するための手段】
【０００６】
この発明の支持金具は、上記の課題を解決するために、横葺き屋根材の水下端に位置する本体軒側端と水上端に位置する本体棟側端の少なくとも一方には、屋根のはぜ部の下面側に挿入される差込片が形成されており、上記本体軒側端及び上記本体棟側端にはそれぞれの箇所の屋根のはぜ部を押圧する金具固定ボルトが設けられる金具固定部を有しており、上記本体軒側端と上記本体棟側端の間には屋根上設備の取付用ボルトが設けられる設備固定部を有していることを特徴とする。
【０００７】
上記の構成であれば、上記本体軒側端及び上記本体棟側端にはそれぞれの箇所の屋根のはぜ部を押圧する金具固定ボルトが設けられることになり、例えば上記本体棟側端だけに金具固定ボルトが設けられる場合に比べて太陽電池等の屋根上設備を十分な強度で横葺き屋根に取り付けることができる。また、屋根のはぜ部を金具固定ボルトによって押圧する構造であり、本体と独立した別部品である挟持片を備えないので、構造も簡単化することができる。
【０００８】
上記の支持金具において、上記差込片が上記本体軒側端及び上記本体棟側端に形成されており、横葺き屋根上に少なくとも１つおきに設置されることとしてもよい。
【０００９】
或いは、上記本体軒側端と上記本体棟側端の一方の側が他方の側よりも横幅が狭く形成されて支持金具同士の端部重ね配置が可能とされ、横葺き屋根上に連続設置されることとしてもよい。
【００１０】
これらの支持金具において、上記本体軒側端及び上記本体棟側端の少なくとも一方に上記横葺き屋根材の配置を規定する規定面が形成されているのがよい。これによれば、屋根材を葺きながら当該支持金具を設置していく際に、この支持金具が屋根材の配置を規定していくことができるので、正確な位置で屋根材同士を重ねて屋根のはぜ部を形成していくことができる。そして、この屋根のはぜ部に正確に上記金具固定ボルトの押圧力を作用させることができるので、横葺き屋根による支持金具の支持強度が向上する。
【００１１】
また、この発明の屋根上設備取付構造は、上記いずれかの支持金具が屋根上に配置されて屋根上設備が取り付けられることを特徴とする。
【００１２】
上記屋根上設備取付構造において、上側板及び下側板を有する段状の補強部材が設けられており、上記下側板は屋根面に固定され、上記上側板は上記屋根のはぜ部に位置して上記金具固定ボルトの押圧を受けるのがよい。これによれば、上記補強金具により、上記屋根のはぜ部が上記金具固定ボルトの押圧を受けても、この押圧による上記屋根のはぜ部の変形程度を小さくすることができる。また、上記屋根のはぜ部自体ではなく上記補強金具が上記金具固定ボルトの押圧力をしっかりと受け止めることにもなる。
【００１３】
上記の屋根上設備取付構造において、上記補強部材の上記上側板の延設部に、上記支持金具の本体軒側端を受け止めるストッパ部が形成されているのがよい。これによれば、屋根材を葺きながら上記支持金具を設置していく際に、上記補強金具のストッパ部が上記支持金具の滑り落ちを防止することになる。また、施工後においては、かりにボルト緩みなどが生じて上記支持金具が屋根材から外れても上記補強金具のストッパ部が上記支持金具の滑り落ちを防止することになる。
【発明の効果】
【００１４】
本発明であれば、太陽電池等の屋根上設備を十分な強度で横葺き屋根に取り付けることができる等の諸効果を奏する。
【図面の簡単な説明】
【００１５】
【図１】本発明の一実施形態に係る支持金具及び屋根上設備取付構造を示した説明図である。
【図２】図１の支持金具を示した図であって、同図（Ａ）は底面図であり、同図（Ｂ）は側面図である。
【図３】本発明の他の実施形態に係る支持金具を示した図であって、同図（Ａ）は底面図であり、同図（Ｂ）は側面図である。
【図４】本発明の他の実施形態に係る支持金具を示した図であって、同図（Ａ）は平面図であり、同図（Ｂ）は側面図である。
【図５】本発明の実施形態に係る屋根上設備取付構造で用いる補強金具を例示した図であって、同図（Ａ）は平面図であり、同図（Ｂ）は背面図、同図（Ｃ）は側面図である。
【図６】同図（Ａ）、同図（Ｂ）、同図（Ｃ）は図４の支持金具と図５の補強金具を用いて屋根上設備取付構造を構築していく工程を示した説明図である。
【図７】図４の支持金具と図５の補強金具を用いて構築された屋根上設備取付構造を示した説明図である。
【図８】本発明の実施形態に係る屋根上設備取付構造で用いる係合補強金具と屋根材を例示した説明図である。
【図９】同図（Ａ）、同図（Ｂ）、同図（Ｃ）は図８に示した係合補強金具と屋根材を用いて屋根上設備取付構造を構築していく工程を示した説明図である。
【図１０】本発明の他の実施形態に係る支持金具を示した図であって、同図（Ａ）は平面図であり、同図（Ｂ）は側面図である。
【発明を実施するための最良の形態】
【００１６】
次に、この発明の実施形態に係る支持金具及び屋根上設備取付構造を添付図面に基づいて具体的に説明する。なお、本発明に係る支持金具及び屋根上設備取付構造は、下記の実施形態に示したものに限定されず、その要旨を変更しない範囲において適宜変更して実施できるものである。
【００１７】
図１は一実施形態にかかる支持金具１を用いた屋根上設備取付構造を示した断面図である。上記支持金具１における支持金具本体１ａには設備固定用穴（設備固定部）１ｂが形成されており、裏面側から上記設備固定用穴１ｂを通して取付用ボルト２がそのボルト部を上に向けた状態で設けられる。上記取付用ボルト２には、例えば、太陽電池モジュール用架台（図示せず）が取り付けられる。
【００１８】
また、金属横葺き屋根１００の野地板１０１上に設置される複数枚の金属横葺き屋根材３の水下端と水上端にはそれぞれ折り返し係合部３ａ，３ｂが形成されており、隣り合う２枚の金属横葺き屋根材３が上記折り返し係合部３ａ，３ｂを係合させることで屋根のはぜ部３０が形成されている。また、上記金属横葺き屋根材３の水上端には固定部３ｃが形成されており、この固定部３ｃを貫通してビス３１が野地板１０１に打ち込まれることで金属横葺き屋根材３が野地板１０１に固定される。
【００１９】
図２は上記支持金具１を示した図であって、同図（Ａ）は底面図であり、同図（Ｂ）は側面図である。上記支持金具１は、上記金属横葺き屋根材３の水下端から水上端に至る長さを有しており、上記水下端に位置する本体軒側端に軒側差込片１１を有する。この軒側差込片１１は上記支持金具本体１ａの本体軒側端をＬ字状に折り曲げ形成してなるものである。そして、上記支持金具本体１ａと上記軒側差込片１１とを接続している部位が上記横葺き屋根材３の配置を規定する規定面１１ａをなしている。
【００２０】
また、上記支持金具１は上記水上端に位置する本体棟側端に棟側差込片１２を有する。この棟側差込片１２は上記支持金具本体１ａの本体棟側端の両横部をＬ字状に折り曲げ形成してなるものである。そして、上記支持金具本体１ａと上記棟側差込片１２とを接続している部位が上記横葺き屋根材３の配置を規定する規定面１２ａをなしている。また、上記支持金具本体１ａの本体棟側端の中央部は折り曲げられてはおらず、上記棟側差込片１２との間に位置する物体を挟むように位置する突出片１３をなしている。
【００２１】
そして、上記支持金具本体１ａの上記本体軒側端であって、上記軒側差込片１１とほぼ向かい合う箇所に貫通螺子穴１ｃが形成されている。また、上記突出片１３には貫通螺子穴１ｄが形成されている。上記貫通螺子穴１ｃ，１ｄは、上記本体軒側端及び上記本体棟側端に位置する屋根のはぜ部３０、３０を押圧する金具固定ボルト４，４（図１参照）が設けられる金具固定部をなすものである。上記金具固定ボルト４，４は、そのボルト先端部にて上記屋根のはぜ部３０を押圧することになる。
【００２２】
また、上記支持金具本体１ａの両横部には、強度向上のための折り曲げ部１ｅが形成されている。更に、軒側差込片１１には強度向上のための凹凸のリブ部が形成されており、上記支持金具本体１ａと上記軒側差込片１１とを接続している部位にもリブ部が形成されている。
【００２３】
上記の構成であれば、上記支持金具本体１ａの上記本体軒側端及び上記本体棟側端にはそれぞれの箇所の屋根のはぜ部３０を押圧する金具固定ボルト４，４が設けられることになり、例えば上記本体棟側端だけに金具固定ボルト４が設けられる場合に比べて太陽電池等の屋根上設備を十分な強度で横葺き屋根に取り付けることができる。また、上記屋根のはぜ部３０を金具固定ボルト４のボルト先端部にて押圧する構造であり、本体と独立した別部品である挟持片を備えないので、構造も簡単化される。
【００２４】
また、上記支持金具１は、上記規定面１１ａ，１２ａを備えており、上記金属横葺き屋根材３を葺きながら上記支持金具１を設置していく際に、この支持金具１が屋根材の配置を規定していくことができるので、正確な位置で屋根材同士を重ねて屋根のはぜ部３０を形成していくことができる。そして、この屋根のはぜ部３０に正確に上記金具固定ボルト４の押圧力を作用させることができるので、横葺き屋根１００による支持金具１の支持強度が向上する。
【００２５】
図３は他の実施形態の支持金具１Ａを示した図であって、同図（Ａ）は底面図であり、同図（Ｂ）は側面図である。なお、説明の重複による冗長を避けるために、上記支持金具１との相違点を重点的に述べる。
【００２６】
上記支持金具１Ａの両横部には、強度向上のための折り曲げ部１ｅがこの支持金具１Ａの長手方向全体に渡って形成されている。上記支持金具１Ａは、その本体軒側端に軒側差込片１１を有する。この軒側差込片１１は、本体軒側端の折り曲げ部１ｅ，１ｅの張り出し片部分を水平方向に折り曲げることにより形成されたものである。そして、上記支持金具本体１ａと上記軒側差込片１１とを接続している上記折り曲げ部１ｅ，１ｅの部位が上記横葺き屋根材３の配置を規定する規定面１１ａをなしている。また、上記支持金具本体１ａの上記本体軒側端には金具固定部となる貫通螺子穴１ｃが形成されている。
【００２７】
上記支持金具１Ａは、その本体棟側端に棟側差込片１２を有する。この棟側差込片１２も本体棟側端の上記折り曲げ部１ｅの張り出し片部分を水平方向に折り曲げることにより形成されている。そして、上記支持金具本体１ａと上記棟側差込片１２とを接続している上記折り曲げ部１ｅ，１ｅの部位が上記横葺き屋根材３の配置を規定する規定面１２ａをなしている。また、上記支持金具本体１ａの本体棟側端の中央部は突出片１３となり、この突出片１３は上記折り曲げ部１ｅ，１ｅを有したものとなることにより強度が向上されたものとなっている。更に、上記支持金具本体１ａの上記本体棟側端には金具固定部となる貫通螺子穴１ｄが形成されている。更に、上記軒側差込片１１、棟側差込片１２、及び規定面１１ａ，１２ａとなる上記折り曲げ部１ｅ，１ｅの部位には、強度向上のためのリブ部（凹凸部）が形成されている。
【００２８】
上記支持金具１Ａは、上記支持金具１と同様、図１に示したように、金属横葺き屋根１００上に１つおき（複数おきでもよい）に設置されることになる。そして、上記支持金具本体１ａの上記本体軒側端及び上記本体棟側端にはそれぞれの箇所の屋根のはぜ部３０，３０を押圧する金具固定ボルト４，４が設けられることになり、例えば上記本体棟側端だけに金具固定ボルト４が設けられる場合に比べて太陽電池等の屋根上設備を十分な強度で横葺き屋根に取り付けることができる。また、上記屋根のはぜ部３０を金具固定ボルト４のボルト先端部にて押圧する構造であり、本体と独立した別部品である挟持片を備えないので、構造も簡単化される。
【００２９】
また、上記支持金具１Ａは、上記支持金具１と同様、上記規定面１１ａ，１２ａを備えており、上記金属横葺き屋根材３を葺きながら上記支持金具１を設置していく際に、この支持金具１Ａが屋根材の配置を規定していくことができるので、正確な位置で屋根材同士を重ねて屋根のはぜ部３０を形成していくことができる。そして、この屋根のはぜ部３０に正確に上記金具固定ボルト４の押圧力を作用させることができるので、横葺き屋根１００による支持金具１Ａの支持強度が向上する。
【００３０】
図４は他の実施形態の支持金具１Ｂを示した図であって、同図（Ａ）は平面図であり、同図（Ｂ）は側面図である。なお、説明の重複による冗長を避けるために、上記支持金具１Ａとの相違点を重点的に述べる。
【００３１】
上記支持金具１Ｂの両横部には、強度向上のための折り曲げ部１ｅがこの支持金具１Ｂの長手方向全体に渡って形成されている。上記支持金具１Ｂは、その本体軒側端に軒側差込片１１を有する。この軒側差込片１１は本体軒側端の上記折り曲げ部１ｅ，１ｅの張り出し片部分を水平方向に折り曲げることにより形成されている。そして、上記支持金具本体１ａと上記軒側差込片１１とを接続している上記折り曲げ部１ｅ，１ｅの部位が上記横葺き屋根材３の配置を規定する規定面１１ａをなしている。また、上記支持金具本体１ａの上記本体軒側端には金具固定部となる貫通螺子穴１ｃが形成されている。
【００３２】
一方、上記支持金具１Ｂは、その本体棟側端に棟側差込片を有していない。そして、この本体棟側端は上記本体軒側端よりも横幅が狭く形成されて支持金具１Ｂ，１Ｂ同士の端部重ね配置が可能とされる。また、上記折り曲げ部１ｅ，１ｅにおける本体棟側端の部位には切欠き部１４が形成されている。この切欠き部１４は屋根のはぜ部３０に当たらないように奥まって形成することで規定面とならないようにしてもよいし、他の支持金具１Ａ等と同様に規定面となるように形成されてもよい。更に、上記支持金具本体１ａの本体棟側端の突出片１３の箇所には金具固定部となる貫通穴部１ｆが形成されている。この貫通穴部１ｆは、支持金具１Ｂ，１Ｂ同士の端部重ね配置が行われたときに、上側に位置する支持金具１Ｂの貫通螺子穴１ｃの凸箇所が嵌まる位置に存在するものであり、丸穴形状に限らず長穴形状を有していてもよい。また、このように、支持金具１Ｂ，１Ｂ同士の端部重ね配置が行われと、水下側に位置する支持金具１Ｂの本体棟側端に、水上側に位置する支持金具１Ｂの軒側差込片１１が位置することになる。
【００３３】
図５は補強部材５を示した図であって、同図（Ａ）は平面図であり、同図（Ｂ）は背面図であり、同図（Ｃ）は側面図である。この補強部材５は、上側板５１と下側板５２とこれらを繋ぐ立ち上げ部５３を有する段状の部材である。そして、上記下側板５２にはビス用貫通穴５２ａが形成されている。
【００３４】
図６は金属横葺き屋根材３及び補強部材５を用いて金属横葺き屋根を葺いていきながら上記支持金具１Ｂを配置していく工程を示した説明図である。図６（Ａ）に示すように、野地板１０１上に上記金属横葺き屋根材３を配置し、更に上記金属横葺き屋根材３の固定部３ｃの上に上記補強部材５の下側板５２を位置させ、上記ビス３１を上記ビス用貫通穴５２ａから通して上記野地板１０１に固定する。次に、同図（Ｂ）に示すように、上記固定した野地板１０１の水上側に別の金属横葺き屋根材３を配置する。このとき、水上側に位置する金属横葺き屋根材３の水下側の折り返し係合部３ａを、水下側に位置する金属横葺き屋根材３の水上側の折り返し係合部３ｂに係合させる。そして、同図（Ｃ）に示すように、上記支持金具１Ｂを配置する。
【００３５】
このように配置していくと、図７の断面図に示すように、隣り合う支持金具１Ｂ，１Ｂ同士はその端部を重ねて配置されていく。そして、上記補強部材５の上側板５２は上記屋根のはぜ部３０における水上側の屋根材３の下面側に位置して上記金具固定ボルト４の押圧を受ける。
【００３６】
このような構成であれば、上記支持金具１Ｂは、金属横葺き屋根１００上に連続設置されるので、架台取付箇所の自由度が向上する。なお、上記支持金具１Ｂにおける支持金具本体１ａに設ける設備固定用穴１ｂを複数形成し、上記架台取付箇所の自由度をより高めることも可能である。また、上記支持金具１Ｂは、その本体棟側端に棟側差込片を有していないが、本体棟側端の突出片１３の箇所には金具固定部となる貫通穴１ｆを有しており、この貫通穴１ｆには、支持金具１Ｂ，１Ｂ同士の端部重ね配置が行われたときに、上側に位置する支持金具１Ｂの貫通螺子穴１ｃにおける凸箇所が嵌まる。したがって、この構成においても、上記支持金具本体１ａの上記本体軒側端及び上記本体棟側端にはそれぞれの箇所の屋根のはぜ部３０、３０を押圧する金具固定ボルト４，４が設けられることになり、例えば上記本体棟側端だけに金具固定ボルト４が設けられる場合に比べて太陽電池等の屋根上設備を十分な強度で横葺き屋根に取り付けることができる。また、上記屋根のはぜ部３０を金具固定ボルト４のボルト先端部にて押圧する構造であり、本体と独立した別部品である挟持片を備えないので、構造も簡単化される。
【００３７】
また、上記支持金具１Ｂは、上記切欠き部１４が規定面として機能しないようにされた場合は１つの規定面１１ａを備えたものとなり、重ね配置されるときに、２つの規定面１１ａ，１１ａを備えるものとなる。したがって、上記金属横葺き屋根材３を葺きながら上記支持金具１Ｂを設置していく際に、この支持金具１Ｂが屋根材の配置を規定していくことができるので、正確な位置で屋根材同士を重ねて屋根のはぜ部３０を形成していくことができる。そして、この屋根のはぜ部３０に正確に上記金具固定ボルト４の押圧力を作用させることができるので、横葺き屋根１００による支持金具１Ｂの支持強度が向上する。なお、上記切欠き部１４が規定面として機能する場合は上記支持金具１Ｂは２つの規定面を備えたものとなる。
【００３８】
更に、上記補強金具５により、上記屋根のはぜ部３０が上記金具固定ボルト４の押圧を受けても、この押圧による上記屋根のはぜ部３０の変形程度を小さくすることができる。また、上記屋根のはぜ部３０自体ではなく上記補強金具５が上記金具固定ボルト４の押圧力をしっかりと受け止めることにもなる。
【００３９】
図８は係合補強部材６を示した説明図である。この係合補強部材６は、上側板６１と下側板６２とこれらを繋ぐ立ち上げ部６３を有する段状部を有する部材である。そして、上記上側板６１の先端部は、上記金属横葺き屋根材３の水上側の折り返し係合部３ｂに沿った折り返し延設部を有し、さらにこの折り返し延設部の先側に上記支持金具１Ｂの本体軒側端を受け止めるストッパ部６４となる立状部を有する。また、上記下側板６２にはビス用貫通穴が形成されている。なお、上記係合補強部材６は一体ものである必要はなく、上記上側板６１の先端部（折り返し延設部、ストッパ部６４）を上記上側板６１等の補強機能部分よりも薄い素材とし、この薄い素材を上記上側板６１に接合した構造を有したものでもよい。
【００４０】
図９は金属横葺き屋根材３及び係合補強部材６を用いて金属横葺き屋根を葺いていきながら上記支持金具１Ｂを配置していく工程を示した説明図である。図９（Ａ）に示すように、野地板１０１上に上記金属横葺き屋根材３を配置し、更に上記金属横葺き屋根材３の固定部３ｃの上に上記係合補強部材６の下側板６２を位置させ、ビス３１をビス用貫通穴から通して上記野地板１０１に固定する。次に、同図（Ｂ）に示すように、上記固定した野地板１０１の水上側に別の金属横葺き屋根材３を配置する。このとき、水上側の金属横葺き屋根材３の水下側の折り返し係合部３ａを、水下側の金属横葺き屋根材３の水上側の折り返し係合部３ｂに係合させる。そして、同図（Ｃ）に示すように、上記支持金具１Ｂを配置する。
【００４１】
上記のような係合補強部材６を用いることで、屋根材３を葺きながら上記支持金具１Ｂを設置していくときに、上記係合補強部材６のストッパ部６４が上記支持金具１Ｂの滑り落ちを防止することになる。また、施工後においては、かりにボルト緩みなどが生じて上記支持金具１Ｂが屋根材から外れても上記係合補強部材６のストッパ部６４が上記支持金具１Ｂの滑り落ちを防止することになる。
【００４２】
図１０は他の実施形態の支持金具１Ｃを示した図であって、同図（Ａ）は平面図であり、同図（Ｂ）は側面図である。上記支持金具１Ｂとの相違点を重点的に述べると、上記支持金具１Ｂは、その本体棟側端に棟側差込片を有していないが、この支持金具１Ｃは棟側差込片１２を有する。ただし、この支持金具１Ｃは、棟側差込片１２を片側の折り曲げ部１ｅに形成しており、軒側差込片１１についても片側の折り曲げ部１ｅに形成している。そして、上記軒側差込片１１と上記棟側差込片１２は互いに反対側の折り曲げ部１ｅに形成されている。
【００４３】
上記支持金具１Ｃも、金属横葺き屋根１００上に連続設置されるように形成されており、架台取付箇所の自由度が向上することになる。また、上記軒側差込片１１と上記棟側差込片１２は互いに反対側の折り曲げ部１ｅに形成されているので、上記連続設置されて一体化された状態で各支持金具１Ｃの本体両側に上記軒側差込片１１と上記棟側差込片１２が存在することになる。
【符号の説明】
【００４４】
１，１Ａ，１Ｂ，１Ｃ  支持金具
１ａ    支持金具本体
１ｂ    設備固定用穴（設備固定部）
１ｃ    貫通螺子穴（金具固定部）
１ｄ    貫通螺子穴（金具固定部）
１ｅ    折り曲げ部
１ｆ    貫通穴
１１    軒側差込片
１１ａ  規定面
１２    棟側差込片
１２ａ  規定面
１３    突出片
１４    切欠き部
２      取付用ボルト
３      金属横葺き屋根材
３ａ    折り返し係合部
３ｂ    折り返し係合部
４      金具固定ボルト
５      補強金具
５１    上側板
５２    下側板
５３    立ち上げ部
６      係合補強金具
６１    上側板
６２    下側板
６３    立ち上げ部
６４    ストッパ部
３０    屋根のはぜ部
１００  金属横葺き屋根
１０１  野地板
【図１】
0005883252.tif 000002
【図２】
0005883252.tif 000003
【図３】
0005883252.tif 000004
【図４】
0005883252.tif 000005
【図５】
0005883252.tif 000006
【図６】
0005883252.tif 000007
【図７】
0005883252.tif 000008
【図８】
0005883252.tif 000009
【図９】
0005883252.tif 000010
【図１０】
0005883252.tif 000011